(57)【要約】  本発明は、電気制御ボックス構造及び壁掛けエアーコンディショナーを開示し、エアーコンディショナーの技術分野に関する。電気制御ボックス構造は、電気制御ボックス本体と、電気制御ボックスカバーとを備える。電気制御ボックス本体は、開口端を含み、開口端の一側には接続部及び位置決め部が設けられ、電気制御ボックスカバーの一側には嵌合部及び係止部が設けられる。嵌合部が接続部に回転可能に接続され、係止部が位置決め部に係合されることで、電気制御ボックスカバーが、電気制御ボックス本体に対して開けられ、且つ角度が固定される状態にされる。該電気制御ボックス構造は、設計が合理的で、発想が巧妙であり、シンプルであり、実用性が高く、電気制御ボックスカバーが電気制御ボックス本体に対して開けられた後に固定しやすく、自動的に落下することがなく、メンテナンスしにくい問題を改善でき、これにより製品品質を向上させることできる。【選択図】  図１
2021503066.tif 000002
【特許請求の範囲】
【請求項１】
電気制御ボックス本体（２）と、電気制御ボックスカバー（３）とを備え、
前記電気制御ボックス本体（２）は、開口端を含み、前記開口端の一側には接続部（４）及び位置決め部（５）が固定して設けられ、
前記電気制御ボックスカバー（３）の一側には嵌合部（６）及び係止部（７）が設けられ、
前記嵌合部（６）が前記接続部（４）に回転可能に接続され、前記係止部（７）が前記位置決め部（５）に係合されることで、前記電気制御ボックスカバー（３）が、前記電気制御ボックス本体（２）に対して開けられ、且つ角度が固定される状態にすることができる、ことを特徴とする電気制御ボックス構造。
【請求項２】
前記接続部（４）が固定回転軸（１０）であり、
前記嵌合部（６）が前記固定回転軸（１０）に嵌合される回転突起（８）であり、
前記嵌合部（６）が固定回転軸（１０）であり、
前記接続部（４）が前記固定回転軸（１０）に嵌合される回転突起（８）である、ことを特徴とする請求項１に記載の電気制御ボックス構造。
【請求項３】
前記回転突起（８）は、前記固定回転軸（１０）に回転可能に引っ掛けられ、
前記回転突起（８）の厚み方向の一側には補強リブ（１３）が設けられる、ことを特徴とする請求項２に記載の電気制御ボックス構造。
【請求項４】
前記補強リブ（１３）は、前記回転突起（８）の円周方向にＬ字型構造で設けられる、ことを特徴とする請求項３に記載の電気制御ボックス構造。
【請求項５】
前記補強リブ（１３）の高さが、１〜５ｍｍである、ことを特徴とする請求項３に記載の電気制御ボックス構造。
【請求項６】
前記回転突起（８）は、回転穴と、前記回転穴の開口箇所に位置する阻止バンプ（１２）とを含み、
前記回転穴が前記固定回転軸（１０）に嵌合され、
前記阻止バンプ（１２）は、前記固定回転軸（１０）が前記回転穴から外れないようにすることに用いられる、ことを特徴とする請求項２〜５のいずれか１項に記載の電気制御ボックス構造。
【請求項７】
前記阻止バンプ（１２）は、数が２つであり、且つそれぞれ前記回転穴の開口箇所の両側に位置し、２つの前記阻止バンプ（１２）は、対向して設けられる、ことを特徴とする請求項６に記載の電気制御ボックス構造。
【請求項８】
前記位置決め部（５）は、少なくとも１つの位置決めボス（１１）を含み、前記位置決めボス（１１）がロック側（１４）を含み、前記係止部（７）には係止バンプ（９）が設けられ、
前記電気制御ボックスカバー（３）の前記嵌合部（６）が前記電気制御ボックス本体（２）の前記接続部（４）の周りに回転し、前記係止バンプ（９）が前記位置決めボス（１１）の前記ロック側（１４）に嵌合して固定される、ことを特徴とする請求項６に記載の電気制御ボックス構造。
【請求項９】
前記位置決めボス（１１）は、数が２つであり、２つの位置決めボス（１１）は、間隔をおいて設けられ、前記係止バンプ（９）は、一方の前記位置決めボス（１１）の前記ロック側（１４）に設けられる、ことを特徴とする請求項８に記載の電気制御ボックス構造。
【請求項１０】
ケースと、請求項１〜９のいずれか１項に記載の電気制御ボックス構造（１）とを備え、
前記電気制御ボックス本体（２）がケースに固定して設けられ、
前記電気制御ボックスカバー（３）が前記電気制御ボックス本体（２）に回転可能に設けられ、
前記電気制御ボックスカバー（３）が、前記電気制御ボックス本体（２）に係合される第１状態と、
前記電気制御ボックスカバー（３）が、前記電気制御ボックス本体（２）に対して開けられ、且つ角度が固定される第２状態とを有する、ことを特徴とする壁掛けエアーコンディショナー。
【発明の詳細な説明】
【技術分野】
【０００１】
本発明は、エアーコンディショナーの技術分野に関し、具体的には、電気制御ボックス構造及び壁掛けエアーコンディショナーに関する。
【背景技術】
【０００２】
電気制御は、エアーコンディショナーメンテナンスの重要の一部であり、壁掛けエアーコンディショナーの電気制御メンテナンスを行うとき、まず電気制御ボックスカバーを開いて、電気制御基板を引き出す必要がある。
【０００３】
現在、市場で流通している従来の壁掛けエアーコンディショナーにおける電気制御ボックスカバーの取り付け固定は、電気制御ボックスカバーの上端の２つのバンプをケースにおける取り付け穴に挿入し、電気制御ボックスカバーの他端をケースにネジで固定することで行われている。
【０００４】
電気制御メンテナンスでは、電気制御ボックスカバーが開かれると、重力により自然落下し、又は、電気制御ボックスカバーにはユニットが接続される場合、電気制御ボックスカバーを取り外すと、置く箇所がなくて、メンテナンス作業が不便となり、また、一定程度の安全性のリスクがあり、現在、電気制御メンテナンスを行うとき、電気制御ボックスカバーの開き位置を固定できず、又は、電気制御ボックスカバーを取り外して置く必要があるため、メンテナンス要員のメンテナンス作業が不便になっている。
【発明の概要】
【発明が解決しようとする課題】
【０００５】
これに鑑みて、本発明は、従来の電気制御ボックスカバーが開けられた後、ボックスカバーがボックス体位置に対して固定できないという問題を改良し、メンテナンス要員が電気制御ボックスをメンテナンスしやすい電気制御ボックス構造を提供することを目的とし、本発明に係る電気制御ボックスは、構造設計が合理的で、発想が巧妙で、シンプルであり、実用性が高く、電気制御ボックスカバーが電気制御ボックス本体に対して開けられた後に固定しやすく、自動的に落下することがないので、メンテナンスしやすく、製品の品質が高い。
【課題を解決するための手段】
【０００６】
上記目的を達成するために、本発明の技術案は以下のように実現される。
【０００７】
電気制御ボックス構造であって、電気制御ボックス本体と、電気制御ボックスカバーとを備え、
前記電気制御ボックス本体は、開口端を含み、前記開口端の一側には接続部及び位置決め部が設けられ、前記電気制御ボックスカバーの一側には嵌合部及び係止部が設けられ、
前記嵌合部が前記接続部に回転可能に接続され、前記係止部が前記位置決め部に係合されることで、前記電気制御ボックスカバーが、前記電気制御ボックス本体に対して開けられ、且つ角度が固定される状態にすることができる。
【０００８】
さらに、前記接続部が固定回転軸であり、前記嵌合部が前記固定回転軸に嵌合される回転突起であり、
前記嵌合部が固定回転軸であり、前記接続部が前記固定回転軸に嵌合される回転突起である。
【０００９】
さらに、前記回転突起は、前記固定回転軸に回転可能に引っ掛けられ、前記回転突起の厚み方向の一側には補強リブが設けられる。
【００１０】
さらに、前記補強リブは、前記回転突起の円周方向にＬ字型構造で設けられる。
【００１１】
さらに、前記補強リブの高さが、１〜５ｍｍである。
【００１２】
さらに、前記回転突起は、回転穴と、前記回転穴の開口箇所に位置する阻止バンプとを含み、前記回転穴が前記固定回転軸に嵌合され、前記阻止バンプは、前記固定回転軸が前記回転穴から外れないようにすることに用いられる。
【００１３】
さらに、前記阻止バンプは、数が２つであり、且つそれぞれ前記回転穴の開口箇所の両側に位置し、２つの前記阻止バンプが対向して設けられる。
【００１４】
さらに、前記位置決め部は、少なくとも１つの位置決めボスを含み、前記位置決めボスがロック側を含み、前記係止部には係止バンプが設けられ、
前記電気制御ボックスカバーの前記嵌合部が前記電気制御ボックス本体の前記接続部の周りに回転し、前記係止バンプが前記位置決めボスの前記ロック側に嵌合して固定される。
【００１５】
さらに、前記位置決めボスは、数が２つであり、２つの位置決めボスは、間隔をおいて設けられ、前記係止バンプは、好ましくは、一方の前記位置決めボスの前記ロック側に設けられる。
【発明の効果】
【００１６】
本発明の電気制御ボックス構造は、従来のそれに比べて、以下の利点を有する。
本発明の電気制御ボックスは、構造設計が合理的で、構成が簡単であり、電気制御ボックスカバーは、電気制御ボックス本体に対して開けられた後、角度が固定され、所定の位置に保持され、且つ自動的に落下することがなく、メンテナンス要員が電気制御ボックスをメンテナンスしやすく、使用上の利便性がよく、実用性が高い。
【００１７】
本発明の他の目的は、上記電気制御ボックス構造の利点を有する壁掛けエアーコンディショナーを提供することである。
【００１８】
上記目的を達成するために、本発明の技術案は以下のように実現される。
【００１９】
壁掛けエアーコンディショナーであって、ケースと、電気制御ボックス構造とを備え、前記電気制御ボックス本体がケースに固定して設けられ、前記電気制御ボックスカバーが前記電気制御ボックス本体に回転可能に設けられ、前記電気制御ボックスカバーが、前記電気制御ボックス本体に係合される第１状態、及び前記電気制御ボックス本体に対して開けられ、且つ角度が固定される第２状態を有する。
【００２０】
本発明の壁掛けエアーコンディショナーは、従来のそれに比べて、以下の利点を有する。
該壁掛けエアーコンディショナーにおける電気制御ボックス構造は、メンテナンスしやすく、電気制御ボックスカバーが開けられた後に自動的に落下したり、紛失したりすることが少なく、メンテナンス操作に影響を与えず、電気制御ボックスカバーの開閉操作が容易であり、実用性が強い。
【００２１】
壁掛けエアーコンディショナーは、上記電気制御ボックス構造と同じ利点を有するので、ここで繰り返し説明しない。
【００２２】
本発明の実施例の技術案をより明確に説明するために、以下、実施例において必要な図面を用いて簡単に説明を行うが、以下の図面は単に本発明の実施例の一部であって、発明の範囲を限定するものとしてはならず、当業者であれば、創造的な労力を要することなく、これらの図面に基づいて他の図面に想到しうることを理解すべきである。
【図面の簡単な説明】
【００２３】
【図１】本発明の実施例１に係る電気制御ボックス構造が開状態の模式図である。
【図２】本発明の実施例１に係る電気制御ボックス構造が開状態の模式図である。
【図３】本発明の実施例１に係る電気制御ボックス構造における電気制御ボックスカバーの局所的な構造模式図である。
【図４】本発明の実施例１に係る電気制御ボックス構造における電気制御ボックス本体の局所的な構造模式図である。
【図５】本発明の実施例１に係る電気制御ボックス構造における電気制御ボックスカバーの開き途中で、電気制御ボックス本体に固定する前の構造模式図である。
【図６】本発明の実施例１に係る電気制御ボックス構造における電気制御ボックスカバーと電気制御ボックス本体の第１固定角度での構造模式図である。
【図７】本発明の実施例１に係る電気制御ボックス構造におけるＡ部分の拡大模式図である。
【図８】本発明の実施例１に係る電気制御ボックス構造におけるＢ部分の拡大模式図である。
【図９】本発明の実施例１に係る電気制御ボックス構造における電気制御ボックスカバーと電気制御ボックス本体の第２固定角度での局所的な拡大模式図である。
【発明を実施するための形態】
【００２４】
なお、本発明の実施例及び実施例の特徴は、矛盾がない限り、互いに組み合わせることができる。
【００２５】
以下、図面を参照しながら実施例と組み合わせて本発明について詳細に説明する。
【００２６】
実施例１
図１は、本実施例１に係る電気制御ボックス構造１が開状態にある構造模式図である。図１を参照されたい。
【００２７】
該電気制御ボックス構造１は、電気制御ボックス本体２と、電気制御ボックスカバー３とを備え、電気制御ボックスカバー３が電気制御ボックス本体２に係合し、電気制御ボックスカバー３を電気制御ボックス本体２に対して回転させて電気制御ボックスカバー３を開く。
【００２８】
図２は、本実施例１に係る電気制御ボックス構造１が開状態にある構造模式図である。図２を参照されたい。
【００２９】
電気制御ボックス本体２は、一端が開口する収容室を含み、電気制御ボックス本体２の開口端側には、接続部４及び位置決め部５が設けられ、接続部４及び位置決め部５がいずれも、電気制御ボックス本体２に固定して設けられ、電気制御ボックスカバー３の一側には、嵌合部６及び係止部７が設けられ、電気制御ボックスカバー３における嵌合部６が電気制御ボックス本体２における接続部４に嵌合して接続されることで、電気制御ボックスカバー３が電気制御ボックス本体２に対して回転可能であり、それにより、電気制御ボックス本体２を開閉する。
【００３０】
電気制御ボックスカバー３における係止部７が、電気制御ボックス本体２における位置決め部５に嵌合することができ、電気制御ボックスカバー３を開状態におけるある角度で固定することができ、それにより、メンテナンス要員が電気制御ボックス内の電気制御基板及び他の部材をメンテナンスしやすい。
【００３１】
以下、該電気制御ボックス構造１の各部材の具体的な構造及び相互間の対応関係について、詳細に説明する。
【００３２】
図３は、本実施例１に係る電気制御ボックス構造１における電気制御ボックスカバー３の局所的な模式図である。図４は、本実施例１に係る電気制御ボックス構造１における電気制御ボックス本体２の局所的な模式図である。図３及び図４を参照されたい。
【００３３】
電気制御ボックスカバー３における嵌合部６が回転突起８であり、係止部７には係止バンプ９が設けられ、電気制御ボックス本体２の接続部４が固定回転軸１０であり、位置決め部５には位置決めボス１１が設けられる。回転突起８は、固定回転軸１０に設けられ、且つ固定回転軸１０の周りに回転することができる。回転では、係止バンプ９は、電気制御ボックスカバー３と同期に固定回転軸１０の周りに回転し、位置決めボス１１に固定される前の状態、及び位置決めボス１１に固定された後の状態を有する。
【００３４】
ただし、電気制御ボックス本体２の接続部４は、回転突起８であってもよく、電気制御ボックスカバー３の嵌合部６は、固定回転軸１０であってもよく、回転突起８は、固定回転軸１０の周りに回転するように、固定回転軸１０に引っ掛けられ、それにより、電気制御ボックスカバー３が電気制御ボックス本体２に回転可能に接続される。電気制御ボックスカバー３が電気制御ボックス本体２に回転可能に接続される限り、上記２つの設置形態は、いずれもあり得るものであり、相対回転では、係止バンプ９が位置決めボス１１に嵌合し、電気制御ボックスカバー３が、電気制御ボックス本体２に対して開けられ、且つ開き角度が固定される状態にすることができる。
【００３５】
本実施例１では、電気制御ボックスカバー３には回転突起８が設けられ、電気制御ボックス本体２には固定回転軸１０が設けられ、回転突起８は、固定回転軸１０に回転可能に引っ掛けられ、固定回転軸１０の周りに回転することができ、回転では、固定回転軸１０が回転突起８から外れて、電気制御ボックスカバー３が電気制御ボックス本体２に対して落ちてしまうことを防止するために、本実施例に係る電気制御ボックスカバー３においては、回転突起８は、回転穴と、回転穴の開口箇所に位置する阻止バンプ１２とを含み、阻止バンプ１２が外側に突出して固定回転軸１０に所定の抵抗を印加することで、固定回転軸１０が外れないように制限することができる。
【００３６】
回転突起８が固定回転軸１０に引っ掛けられるとき、引っ掛けやすくて、外れにくくするように、上記阻止バンプ１２以外、さらに所定の強度を満たす必要があり、したがって、回転突起８の厚み方向の一側には補強リブ１３が設けられる。
【００３７】
本実施例１では、補強リブ１３は、回転突起８の円周方向にＬ字型構造で設けられ、固定回転軸１０に引っ掛けられないことを回避するように、回転突起８のの強度を高くすることが望ましくなく、電気制御ボックスカバー３が電気制御ボックス本体２に対して回転しながら、固定回転軸１０から外れやすくて、欠落してしまうという問題を避けるために、回転突起８の強度をあまり小さくすることが望ましくないことを配慮すると、補強リブ１３の高さを１〜５ｍｍに設計すべきである。これにより、電気制御ボックスカバー３と電気制御ボックス本体２との接続強度を満たすことができる。
【００３８】
阻止バンプ１２の数は、１つであってもよく、２つであってもよく、本実施例では、阻止バンプ１２は、数が２つであり、２つの阻止バンプ１２は、それぞれ回転穴の開口箇所の両側に位置し、かつ対向して設けられ、２方向から固定回転軸１０を制限する。これにより制限効果が良好であり、電気制御ボックスカバー３が電気制御ボックス本体２に対して回転しながら、接続が強固ではなく、外れやすい。
【００３９】
電気制御ボックス本体２は、固定回転軸１０と、位置決め部５とを含み、位置決め部５には少なくとも１つの位置決めボス１１が設けられ、該位置決めボス１１が電気制御ボックスカバー３の係止バンプ９に嵌合することができ、電気制御ボックスカバー３が電気制御ボックス本体２に対して回転する過程では、係止バンプ９が位置決めボス１１に締まり嵌めし、係止バンプ９が位置決めボス１１に係止した後、電気制御ボックスカバー３が電気制御ボックス本体２に対して開状態にあり、且つ電気制御ボックスカバー３の電気制御ボックス本体２に対する開き角度が固定され、メンテナンス要員が検査しやすい。
【００４０】
本実施例１では、位置決め部５は、ロック側１４を有する２つの位置決めボス１１を含み、電気制御ボックスカバー３の回転突起８が電気制御ボックス本体２の固定回転軸１０の周りに回転する過程では、電気制御ボックスカバー３の係止バンプ９は、それぞれ各位置決めボス１１のロック側１４に嵌合して係止することができる。２つの位置決めボス１１によって、電気制御ボックスカバー３は、開けられ、且つ２つの異なる角度で固定される状態となる。
【００４１】
具体的には、２つの位置決めボス１１は、間隔をおいて設けられ、２つの位置決めボス１１の中間には凹溝１５が形成され、電気制御ボックスカバー３の係止バンプ９が２つの位置決めボス１１の間の凹溝１５内に係止することができ、電気制御ボックスカバー３が回転する過程では、係止バンプ９は、好ましくは、一方の位置決めボス１１のロック側１４に設けられる。
【００４２】
図５は、本実施例１に係る電気制御ボックス構造１における電気制御ボックスカバー３の開き途中で、電気制御ボックス本体２に固定する前の構造模式図である。図６は、本実施例１に係る電気制御ボックス構造１における電気制御ボックスカバー３と電気制御ボックス本体２の第１固定角度での構造模式図である。
【００４３】
図５及び図６を参照して、回転突起８が固定回転軸１０の周りに回転し、係止バンプ９が位置決めボス１１に接触し、係止バンプ９が位置決めボス１１のロック側１４まで回転するとき、電気御ボックスカバー３が電気制御ボックス本体２に対して固定される。このとき、電気制御ボックスは、開状態である。
【００４４】
図７は、本実施例１の電気制御ボックス構造１におけるＡ部分の拡大模式図である。図８は、本実施例１の電気制御ボックス構造１におけるＢ部分の拡大模式図である。図９は、本実施例１の電気制御ボックス構造１における電気制御ボックスカバー３と電気制御ボックス本体２の第２固定角度での局所的な拡大模式図である。図７、図８及び図９を参照されたい。  
【００４５】
正常状態で、電気制御ボックス構造１は、図７の状態であり、すなわち、電気制御ボックスカバー３が電気制御ボックス本体２に対して閉止される。
【００４６】
電気制御ボックスをメンテナンスする必要があるとき、電気制御ボックスカバー３を電気制御ボックス本体２に対して回転させて開き、電気制御ボックスカバー３を図８における状態に回転させるとき、電気制御ボックスカバー３の電気制御ボックス本体２に対する開き角度が４５°〜７０°の間であり、メンテナンス要員が容易に電気制御ボックスに対して通常のメンテナンス、配線及び確認などを行うことができる。
【００４７】
引き続き、電気制御ボックスカバー３を電気制御ボックス本体２に対して回転させ、電気制御ボックスカバー３を図９における状態に回転させるとき、電気制御ボックスカバー３の電気制御ボックス本体２に対する開き角度が７５°〜１０５°の間であり、メンテナンス要員が容易にコントローラマザーボードを取り出してメンテナンスすることができる。
【００４８】
本発明の実施例１に係る電気制御ボックス構造１の有する有益な効果は、以下のとおりである。
設計が合理的で、構成が簡単であり、電気制御ボックスカバー３を電気制御ボックス本体２に対して回転させるように開き、電気制御ボックスカバー３における係止バンプ９が電気制御ボックス本体２における位置決めボス１１に嵌合して固定され、電気制御ボックスカバー３が、電気制御ボックス本体２に対して開けられ、且つ開き角度が固定される状態にできる。メンテナンス要員が電気制御ボックスをメンテナンスしやすいとともに、電気制御ボックスカバー３が落ちたり、紛失したりすることを回避し、該電気制御ボックス構造１は、実用性が強く、適用範囲が広い。
【００４９】
実施例２
本発明の実施例２は、ケースと、電気制御ボックス構造１とを備え、該電気制御ボックス構造１が電気制御ボックス本体２を介してケースに固定して設けられ、電気制御ボックスカバー３が電気制御ボックス本体２に回転可能に設けられる壁掛けエアーコンディショナーを提供する。
【００５０】
正常使用状態で、電気制御ボックスカバー３が電気制御ボックス本体２に係合され、電気制御ボックスをメンテナンスする必要があるとき、電気制御ボックス本体２に対して開いた状態で、当該開き角度を固定するように、電気制御ボックスカバー３を回転させることができるので、電気制御ボックスカバー３が自動的に落下することがない。
【００５１】
該壁掛けエアーコンディショナーは、電気制御ボックスをメンテナンスするとき、電気制御ボックスカバー３の開き位置を固定できず、又は、電気制御ボックスカバー３を取り外しなければならないという問題を解決し、電気制御ボックスカバー３を開いて所定の位置に固定することができ、メンテナンス要員がメンテナンスしやすい。
【００５２】
以上は、本発明の好適な実施例にすぎず、本発明を制限するものではなく、当業者であれば、本発明に対して様々な変更や変化を行うことができる。本発明の精神及び原理の範囲内で行われるいかなる補正及び均等な置換や改良などは、いずれも本発明の特許請求の範囲に含まれる。
【符号の説明】
【００５３】
１  電気制御ボックス構造
２  電気制御ボックス本体
３  電気制御ボックスカバー
４  接続部
５  位置決め部
６  嵌合部
７  係止部
８  回転突起
９  係止バンプ
１０  固定回転軸
１１  位置決めボス
１２  阻止バンプ
１３  補強リブ
１４  ロック側
１５  凹溝
【図１】
2021503066.tif 000003
【図２】
2021503066.tif 000004
【図３】
2021503066.tif 000005
【図４】
2021503066.tif 000006
【図５】
2021503066.tif 000007
【図６】
2021503066.tif 000008
【図７】
2021503066.tif 000009
【図８】
2021503066.tif 000010
【図９】
2021503066.tif 000011
【国際調査報告】
2021503066.tif 000012
2021503066.tif 000013
2021503066.tif 000014
2021503066.tif 000015